(57)【要約】【課題】記録品位の高い情報の記録が可能な光ディスク装置ならびに情報記録方法を提供する。【解決手段】この発明の光ディスク装置１は、再生用の光強度のレーザ光により得られる第１の反射レーザ光と記録用の光強度のレーザ光より得られる第２の反射レーザ光を検出器１６により検出した結果から信号処理回路５でそれぞれの飽和レベルを求め、信号処理手段により特定されたそれぞれの反射レーザ光の飽和レベルに基づいて光源から出力される記録用のレーザ光の強度を演算し、演算結果に基づいて再生用および記録用のレーザ光の光強度を達成可能なレーザ駆動信号をレーザ駆動回路２に指示するコントローラ３を有する。これにより、光ディスクの記録膜の反射率が変動したとしても、記録パワーを概ね一定の範囲内で制御できる。【選択図】  図１
2005190629.tif 000002
【特許請求の範囲】
【請求項１】
第１の光強度を有する第１のレーザ光と第１の光強度よりも大きな光強度を有する第２のレーザ光を出力可能な光源と、
記録媒体の記録膜に集光されて照射されるそれぞれのレーザ光の光強度を検出する第１の検出手段と、
前記第１の検出手段の出力に基づいて前記それぞれのレーザ光の変化をモニタするモニタ手段と、
前記モニタ手段の出力に基づいて、前記それぞれレーザ光の強度を設定するレーザパワー設定手段と、
前記光源に、前記第１のレーザ光に対応した駆動信号と前記第２のレーザ光に対応した駆動信号を供給するとともに、記録媒体に記録すべき情報に応じて前記第２のレーザ光に変調成分を与えるレーザ駆動手段と、
記録媒体の記録膜により前記第１および第２のレーザ光が反射された第１および第２の反射レーザ光を検出し、それぞれの反射レーザ光の強度に対応する電気信号を出力する第２の検出手段と、
を有する光ディスク記録再生装置において、
前記第２の検出手段により、第１の反射レーザ光と第２の反射レーザ光とを検出した結果に基づいて、それぞれの反射レーザ光の飽和レベルを特定する信号処理手段と、
前記信号処理手段により特定された前記第１および第２の反射レーザ光の飽和レベルに基づいて、少なくとも前記光源から出力される前記第２のレーザ光の強度を演算する演算手段と、
前記演算手段による演算結果に基づいて設定された前記第１および第２のレーザ光の光強度を達成可能なレーザ駆動信号を、前記レーザパワー設定手段により前記レーザ駆動手段に供給される駆動信号とともに、前記レーザ駆動手段に指示する制御手段と、
を有することを特徴とする光ディスク装置。
【請求項２】
前記演算手段による演算規則を、記録媒体の記録膜に情報を記録する記録速度に従って変更可能であることを特徴とする請求項１記載の光ディスク装置。
【請求項３】
前記第２の検出手段により、第１の反射レーザ光と第２の反射レーザ光とを検出する際に、それぞれの反射レーザ光の飽和レベルの基準値を、記録媒体の記録膜の任意の領域からの前記第１および第２の反射レーザ光を用いて、特定することを特徴とする請求項１記載の光ディスク装置。
【請求項４】
前記第２のレーザ光の光強度は、    
Ｖｗｎ＝Ｖｗ０×（Ａ−Ｂ×（Ｖｒ／Ｖｒ０））    
Ａ，Ｂは、定数    
Ｖｗｎは、第２のレーザ光の強度に対応する検出値    
Ｖｗ０は、第２のレーザ光の強度に対応する検出値の基準値    
Ｖｒは、第１のレーザ光の強度の最適値に対応する検出値    
Ｖｒ０は、第１のレーザ光の強度に対応する検出値の基準値    
により設定されることを特徴とする請求項２記載の光ディスク装置。
【請求項５】
前記記録速度の変化は、定数Ｂの変化として入力されることを特徴とする請求項４記載の光ディスク装置。
【請求項６】
光源に、第１の光強度を有する第１のレーザ光に対応した第１駆動信号と第２の光強度よりも大きな光強度の第２のレーザ光に対応した第２の駆動信号を供給し、
それぞれの駆動信号に対応する光強度の第１および第２のレーザ光を記録媒体の記録膜に照射し、
検出器により、記録媒体の記録膜からの第１および第２のレーザ光の戻り光を受光し、受光したそれぞれの戻り光の光強度に対応する電気信号に基づいてそれぞれの反射レーザ光の飽和レベルを特定し、
特定された第１および第２の反射レーザ光の飽和レベルに基づいて、少なくとも第２のレーザ光の光強度を演算し、
演算された第２のレーザ光の光強度を達成可能なレーザ駆動信号を光源に供給する    
ことを特徴とする情報記録方法。
【請求項７】
演算規則は、記録媒体の記録膜に情報を記録する記録速度に従って変更可能であることを特徴とする請求項６記載の情報記録方法。
【請求項８】
第１の反射レーザ光と第２の反射レーザ光とを検出する際に、それぞれの反射レーザ光の飽和レベルの基準値を、記録媒体の記録膜の任意の領域からの第１および第２の反射レーザ光を用いて、特定することを特徴とする請求項６記載の情報記録方法。
【請求項９】
第２のレーザ光の光強度は、第１のレーザ光を記録媒体の記録膜に照射したときの記録膜からの戻り光のレベルである第１のレベルと第２のレーザ光を記録媒体の記録膜に照射した時の記録膜からの戻り光のレベルである第２のレベルとの関係を求めた後、第１のレベルを得ることが可能に光強度を設定した第１のレーザ光を用いて記録媒体の記録膜の反射率の変化率を求め、反射率の変化率と関連づけて第２のレベルが所定の範囲内に収まるように設定されることを特徴とする請求項６ないし８のいずれかに記載の情報記録方法。
【請求項１０】
第２のレーザ光の光強度は、    
Ｖｗｎ＝Ｖｗ０×（Ａ−Ｂ×（Ｖｒ／Ｖｒ０））    
Ａ，Ｂは、定数    
Ｖｗｎは、第２のレーザ光の強度に対応する検出値    
Ｖｗ０は、第２のレーザ光の強度に対応する検出値の基準値    
Ｖｒは、第１のレーザ光の強度の最適値に対応する検出値    
Ｖｒ０は、第１のレーザ光の強度に対応する検出値の基準値    
により設定されることを特徴とする請求項６ないし８のいずれかに記載の情報記録方法。
【請求項１１】
前記記録速度の変化は、定数Ｂの変化として入力されることを特徴とする請求項１０記載の情報記録方法。
【請求項１２】
光源に、第１の光強度を有する第１のレーザ光に対応した第１駆動信号と第２の光強度よりも大きな光強度の第２のレーザ光に対応した第２の駆動信号を供給し、
それぞれの駆動信号に対応する光強度の第１および第２のレーザ光を記録媒体の記録膜に照射し、
検出器により、記録媒体の記録膜からの第１および第２のレーザ光の戻り光を受光し、受光したそれぞれの戻り光の光強度に対応する電気信号に基づいてそれぞれの反射レーザ光の飽和レベルを特定し、
特定された第１および第２の反射レーザ光の飽和レベルに基づいて、少なくとも第２のレーザ光の光強度を演算し、
演算された第２のレーザ光の光強度を達成するために、現在のレーザ駆動信号よりも大きなレーザ駆動信号を供給するか、現在のレーザ駆動信号よりも小さなレーザ駆動信号を供給するか、現在のレーザ駆動信号の大きさをそのまま維持するか、を設定する    
ことを特徴とする情報記録方法。
【発明の詳細な説明】
【技術分野】
【０００１】
この発明は、記録膜に有機色素系材料を用いた光ディスクに情報を記録する光ディスク装置および情報記録方法に関する。
【背景技術】
【０００２】
情報の記録が可能な光ディスクとして、記録膜に有機色素系材料を用い、一回だけ書き込みが可能なＤＶＤ規格のＤＶＤ−Ｒ（ＤＶＤ−Ｒｅｃｏｒｄａｂｌｅ）光ディスクが知られている。
【０００３】
ＤＶＤ−Ｒ光ディスクに情報を記録する場合、有機色素系材料の薄膜が形成された記録層に所定の記録パワーのレーザ光を照射することで、有機色素系材料の薄膜に記録マークが形成される。
【０００４】
しかしながら、有機色素系材料の薄膜は、その製造方法に起因して必ずしも光ディスクの記録面の全域で同じ厚さに形成されているとは限らない。また、有機色素材料の種類に応じて好適な記録パワーが異なることも知られている。なお、有機色素系材料の厚さが光ディスクの記録面の全域において概ね均一であったとしても、光ディスク装置に装填して所定速度で回転させることで生じる面ぶれ（光ディスクの記録面の揺れ）の影響により、記録面に提供される記録パワーが不均一になることも知られている。
【０００５】
このように、光ディスクの有機色素材料の特徴に起因し、または光ディスク装置による記録時の要因により記録パワーが所定の条件を満足しない場合、記録されたマークの形状が乱れて所定の性能が得られなくなることがある。
【０００６】
このため、記録パワーを、記録しながら制御する方法として、記録時の光ディスク上の長マーク（１１Ｔ）の戻り光レベルをディテクタで検出し、その戻り光の先端部と終端部のレベルの比から記録状態を判定するランニングＯＰＣ（以下、Ｒ−ＯＰＣという）、と呼ばれる方法が提案されている（例えば非特許文献１）。
【０００７】
また、データ記録時に、パルストレイン状のレーザ出力によりマークおよびスペースを記録し、反射光情報信号のスペース期間に対応するスペース期間信号値から、先頭マークに対応する先頭パルス信号の大きさを推定する方法が提案されている（例えば特許文献１参照）。
【非特許文献１】ＣＤ−Ｒ／ＲＷ技術，トリケップス，pp．78-79
【特許文献１】特開２００２−３５８６４１号公報
【発明の開示】
【発明が解決しようとする課題】
【０００８】
上述した非特許文献１に記載されたＲ−ＯＰＣと呼ばれる方法では、記録マークが最適に形成された状態に比較して、記録パワーが低い場合には、戻り光の先端部と終端部でのレベルの比が小さくなり、反面記録パワーが大きい場合には、その比が大きくなる。
【０００９】
しかしながら、非特許文献１に開示された方法によっても、光ディスクの有機反射材料の反射率のばらつきや記録用レーザ光の波長のばらつきに起因するレベルの変動については、対応できない問題がある。
【００１０】
また、今日広く普及しているＤＶＤ−Ｒ光ディスクにおいては、記録速度を高速化するために、再生時の３０倍以上の記録パワーが用いられる場合もある。この場合、戻り光を検出するディテクタが飽和する可能性があることから、記録時にはリミッタが用いられる。しかしながら、リミッタを用いる結果、先端部と後端部のレベル比を求めることは実質的に困難であり、Ｒ−ＯＰＣ法では、記録パワーを最適化できない問題がある。
【００１１】
この発明の目的は、記録品位の高い情報の記録が可能な光ディスク装置および情報記録方法を提供する。
【課題を解決するための手段】
【００１２】
この発明は、第１の光強度を有する第１のレーザ光と第１の光強度よりも大きな光強度を有する第２のレーザ光を出力可能な光源と、記録媒体の記録膜に集光されて照射されるそれぞれのレーザ光の光強度を検出する第１の検出手段と、前記第１の検出手段の出力に基づいて前記それぞれのレーザ光の変化をモニタするモニタ手段と、前記モニタ手段の出力に基づいて、前記それぞれレーザ光の強度を設定するレーザパワー設定手段と、前記光源に、前記第１のレーザ光に対応した駆動信号と前記第２のレーザ光に対応した駆動信号を供給するとともに、記録媒体に記録すべき情報に応じて前記第２のレーザ光に変調成分を与えるレーザ駆動手段と、記録媒体の記録膜により前記第１および第２のレーザ光が反射された第１および第２の反射レーザ光を検出し、それぞれの反射レーザ光の強度に対応する電気信号を出力する第２の検出手段と、を有する光ディスク記録再生装置において、
前記第２の検出手段により、第１の反射レーザ光と第２の反射レーザ光とを検出した結果に基づいて、それぞれの反射レーザ光の飽和レベルを特定する信号処理手段と、前記信号処理手段により特定された前記第１および第２の反射レーザ光の飽和レベルに基づいて、少なくとも前記光源から出力される前記第２のレーザ光の強度を演算する演算手段と、前記演算手段による演算結果に基づいて設定された前記第１および第２のレーザ光の光強度を達成可能なレーザ駆動信号を、前記レーザパワー設定手段により前記レーザ駆動手段に供給される駆動信号とともに、前記レーザ駆動手段に指示する制御手段と、を有することを特徴とする光ディスク装置を提供するものである。
【００１３】
また、この発明は、光源に、第１の光強度を有する第１のレーザ光に対応した第１駆動信号と第２の光強度よりも大きな光強度の第２のレーザ光に対応した第２の駆動信号を供給し、それぞれの駆動信号に対応する光強度の第１および第２のレーザ光を記録媒体の記録膜に照射し、検出器により、記録媒体の記録膜からの第１および第２のレーザ光の戻り光を受光し、受光したそれぞれの戻り光の光強度に対応する電気信号に基づいてそれぞれの反射レーザ光の飽和レベルを特定し、特定された第１および第２の反射レーザ光の飽和レベルに基づいて、少なくとも第２のレーザ光の光強度を演算し、演算された第２のレーザ光の光強度を達成可能なレーザ駆動信号を光源に供給することを特徴とする情報記録方法である。
【００１４】
また、この発明は、光源に、第１の光強度を有する第１のレーザ光に対応した第１駆動信号と第２の光強度よりも大きな光強度の第２のレーザ光に対応した第２の駆動信号を供給し、それぞれの駆動信号に対応する光強度の第１および第２のレーザ光を記録媒体の記録膜に照射し、検出器により、記録媒体の記録膜からの第１および第２のレーザ光の戻り光を受光し、受光したそれぞれの戻り光の光強度に対応する電気信号に基づいてそれぞれの反射レーザ光の飽和レベルを特定し、特定された第１および第２の反射レーザ光の飽和レベルに基づいて、少なくとも第２のレーザ光の光強度を演算し、演算された第２のレーザ光の光強度を達成するために、現在のレーザ駆動信号よりも大きなレーザ駆動信号を供給するか、現在のレーザ駆動信号よりも小さなレーザ駆動信号を供給するか、現在のレーザ駆動信号の大きさをそのまま維持するか、を設定することを特徴とする情報記録方法である。
【発明の効果】
【００１５】
本発明によれば、レーザパワーを、記録状態を示すレーザ照射時の戻り光を用いて制御することで、記録位置における有機色素材料の特性に対して最適な値に設定できる。
【００１６】
また、本発明によれば、レーザパワーを、記録状態を示すレーザ照射時の戻り光を用いて制御することで、記録速度にかかわりなく、有機色素材料の特性に対して最適な値に設定できる。
【００１７】
さらに、本発明によれば、情報の記録に用いられる大きさのレーザ光照射時の戻り光を、戻り光の検出のための特別な構成を用いることなく検出することにより、記録位置における有機色素材料の特性に対して、最適なレーザパワー値を設定できる。
【発明を実施するための最良の形態】
【００１８】
以下、図面を参照して、この発明の実施の形態について詳細に説明する。
【００１９】
図１は、本発明の実施の形態が適用される光ディスク装置（光ディスク記録再生装置）のピックアップの構成および主要部分を説明する概略ブロック図である。
【００２０】
図１に示した光ディスク装置１においては、レーザダイオード１０からのレーザ光が、例えばＤＶＤ−Ｒ光ディスク２１の記録膜２２上に集光されることで情報の記録と情報の再生が可能である。
【００２１】
レーザ駆動回路２は、レーザダイオード１０の駆動電流を制御し、レーザダイオード１０から出力されるレーザ光の発光量（レーザパワー）を制御する。また、レーザ駆動回路２は、記録信号に応じてレーザ駆動電流をスイッチングし、記録すべき情報に対応する記録パルス波形を作成する。
【００２２】
レーザダイオード１０からのレーザ光Ｌは、コリメートレンズ１１によりコリメートされ、ビームスプリッタ１２により２つの光束に分けられる。
【００２３】
ビームスプリッタ１２により分けられた光束の一方は、光ディスク２１の記録膜２２に案内される。なお、ビームスプリッタ１２から光ディスク２１の記録膜２２に案内される光束は、例えばプリズム（光路変更プリズム）１３により光ディスク２１の記録膜２２と直交する方向に光路が変更され、対物レンズ１４により光ディスク２１の記録膜２２に集光される。
【００２４】
対物レンズ１４により集光した光束は、光ディスク２１の基板部分を透過し、記録膜２２上に焦点を結び、この点において、記録再生を行う。
【００２５】
記録膜２２からの反射光（反射レーザ光）は、再び対物レンズ１４を通り、プリズム１３により方向が変化されて、ビームスプリッタ１２に戻される。
【００２６】
ビームスプリッタ１２に戻された光ディスク２１の記録膜２２からの反射レーザ光は、ビームスプリッタ１２により、光源すなわちレーザダイオード１０からの光と分離され、結像レンズ１５より、第１の（再生信号）検出器１６の受光面に結像される。
【００２７】
検出器１６に結像された光ディスク２１の記録膜２２からの戻り光（反射レーザ光）Ｒは、検出器１６により光強度に対応する電流に変換され、プリアンプ４により電流−電圧変換されて信号処理回路５に入力される。
【００２８】
信号処理回路５では、プリアンプ４からの電圧信号を所定のスレショルドレベルで２値化し、デジタルデータに復調する。
【００２９】
信号処理回路５で復調されたデジタルデータは、コントローラ３に入力され、例えば再生信号として、あるいは詳述しない対物レンズ１４の位置を制御するために利用される。なお、信号処理回路５に入力されたは、光ディスク２１の記録膜２２に記録されているデータとして再生され、図示しない再生信号出力部に出力される。
【００３０】
一方、ビームスプリッタ１２により分離されたレーザ光の残りの一方は、レーザ光Ｌの強度をモニタするための第２の検出器１７に入力される。
【００３１】
次に、レーザダイオード１０から出力されるレーザ光の強度の制御について説明する。
【００３２】
記録または再生時のレーザ光Ｌのパワーは、第２の検出器１７から出力される電圧信号の大きさに基づいて制御される。
【００３３】
詳細には、ビームスプリッタ１２により分離されたモニタ用レーザ光は、第２の検出器１７により光強度に対応する電流に変換され、図示しない増幅器（またはＩ−Ｖ変換器）により電圧信号に変換される。
【００３４】
このモニタ用レーザ光の強度に対応する電圧信号は、パワーモニタ回路６に入力され、レーザダイオード１０から出力されるレーザ光Ｌの強度（あるいはその変動）として検出される。
【００３５】
以下に、光ディスク２１の記録膜２２に照射される記録用レーザ光の強度（レーザ駆動回路２の出力）と第２の検出器１７により検出されたモニタ光との関係を説明する。
【００３６】
図２（ａ）は、レーザダイオード１０に入力されるレーザ駆動パルスの一例を示し、図２（ｂ）は、図２（ａ）に示した波形のレーザ駆動パルスに応じてレーザダイオード１０から出力されたレーザ光が光ディスク２１の記録膜２２から反射された戻り光の強度を、検出器１６で検出して電圧変換した電圧出力を示している。なお、図２（ａ）および図２（ｂ）のそれぞれにおいて、矢印方向が時間軸である。また、それぞれにおいて、縦軸が電圧値を示している。
【００３７】
図２（ａ）から明らかなように、ＤＶＤ−Ｒの場合、情報の記録には、矩形波のレーザ光を用いるため、レーザ光は、図示しないがこの矩形波に対応する出力となる。また、図２（ａ）および図２（ｂ）のそれぞれにおいて、レーザ光の強度は、再生用のパワーＰｒと記録用のパワーＰｗに、それぞれ対応する。なお、図２（ｂ）において、出力Ｖｒは、再生用のパワーＰｒのレーザ光が光ディスク２１の記録膜２２から反射された戻り光に、出力Ｖｗは、記録用のパワーＰｗのレーザ光が光ディスク２１の記録膜２２から反射された戻り光に、それぞれ対応する。
【００３８】
図２（ｂ）から明らかなように、レーザ光が光ディスク２１の記録膜２２に照射された直後は記録膜２２の変化が小さいため、記録膜２２の反射率が高く大きな出力が得られるが、時間の経過（照射されたレーザ光のエネルギーの積分値の増加）とともに記録マークが急速に形成されて、反射率が低下する。また、反射率の低下に伴う戻り光の光量の低下はある程度で飽和するので、検出器１６の出力は任意のレベルＶｗで概ね一定となる。なお、再生用のパワーＰｒのレーザ光に対する光ディスクからの戻り光の光量は、概ね一定であり、検出器１６の出力は任意のレベルＶｒで概ね一定となる。
【００３９】
図３（ａ）および図３（ｂ）は、図２（ａ）および図２（ｂ）に示したレーザ光の強度と光ディスクの記録膜からの戻り光に対応する検出器出力の関係をさらに詳細に説明している。
【００４０】
図３（ａ）に示されるように、実線で示す「基準となる記録パワー」により記録マークが形成されることにより、光ディスク２１の記録膜２２からの戻り光の大きさに対応する検出器１６の出力が図３（ｂ）に、実線で示すような反射率の変化を呈するとき、点線で示す「記録パワーが基準となるパワーよりも大きい」場合に記録マークが形成されることで光ディスク２１の記録膜２２で反射された戻り光の大きさに対応する検出器１６の出力は、図３（ｂ）に点線で示すように、レーザ光照射開始とほぼ同時に反射率が急激に低下し、反射率の低下が飽和するレベルＶｗｈは、「基準となる記録パワー」により反射率が低下して飽和に達するレベルＶｗｎよりも低くなる。
【００４１】
これに対し、図３（ａ）および図３（ｂ）に一点鎖線で示すように、「記録パワーが基準となるパワーよりも小さい」場合に記録マークが形成されることで光ディスク２１の記録膜２２で反射された戻り光の大きさに対応する検出器１６の出力は、レーザ光照射開始とほぼ同時に反射率が低下し始めるが、反射率の低下が飽和するレベルＶｗｌは、「基準となる記録パワー」により反射率が低下して飽和に達するレベルＶｗｎよりも高くなる。
【００４２】
図４は、光ディスク２１の記録膜２２からの戻り光の強度に対応する検出器１６の出力であるＶｗ値の変化と記録用パワーＰｗとの関係を示している。
【００４３】
図４から明らかなように、記録パワーＰｗが大きくなると反射率の低下が急速に進み、戻り光の強度Ｖｗが少なくなることが認められる。
【００４４】
よって、記録品位すなわち光ディスク２１の記録膜２２に形成される記録マークの深さや大きさ）を所定の範囲内に維持するためには、戻り光レベルを示すＶｗが様々な条件下において概ね一定となるように、記録パワーＰｗを制御することが必要になる。
【００４５】
例えば、図４に示すように、戻り光レベルＶｗが低下した場合には、記録パワーＰｗを減少させ、戻り光レベルＶｗが増加した場合は、記録パワーＰｗを増加させることが必要である。
【００４６】
なお、図４に示した関係は、レーザ光の波長の変動が少なく、光ディスクの記録膜の反射率が全域に亘って概ね一定である場合に、ほとんど変動しないことが知られている。
【００４７】
しかしながら、レーザ光（記録用）の波長が変動し、あるいは光ディスクの記録膜の反射率の差が大きい等の記録条件の変動がある場合には、記録パワーＰｗと戻り光レベルＶｗとの関係は、以下に示す図５のように、変化する。
【００４８】
図５は、光ディスクの記録膜の反射率が変化する例を示している。
【００４９】
図５から明らかなように、光ディスクの記録膜の反射率が変化すると、レーザ光の波長の変動がなく、記録パワーが概ね一定であったとしても、戻り光レベルＶｗは、あたかも記録用のレーザ光の強度Ｐｗが「ΔＰｗ」だけ変化したように、対応関係に誤差を含み、レベルシフトが発生する場合がある。
【００５０】
従って、例えば図５に示すように、光ディスクの記録膜の反射率が変化した場合には、戻り光レベルＶｗに、『戻り光レベルＶｗが一定になるように、記録パワーをΔＰｗだけ変化した』と同様の変動が含まれる。この場合、最適な記録パワーで記録することができない。
【００５１】
しかしながら、図３（ａ）および（ｂ）により前に説明したように、リードパワーＰｒのレーザ光を光ディスクに照射したときの光ディスクの記録膜からの戻り光のレベルＶｒと記録パワーＰｗのレーザ光を光ディスクに照射した時の光ディスクの記録膜からの戻り光のレベルＶｗとの関係を求めた後、レベルＶｒを得ることのできる大きさに設定されたリードパワーＰｒを用いて光ディスクの記録膜の反射率の変化率を求めた後、反射率の変化率と関連づけてレベルＶｗの大きさが所定の範囲内に収まるように、記録パワーＰｗを補正することで、光ディスクの記録膜の反射率が変動したとしても、記録パワーを概ね一定の範囲内で制御できる。
【００５２】
図６に、その制御方法の一例を説明する。
【００５３】
最初に、記録を開始するために最適なライトパワーを決定する（ＯＰＣ）。
【００５４】
なお、ＯＰＣとは、（Ｏｐｔｉｍｕｍ  Ｐｏｗｅｒ  Ｃｏｎｔｒｏｌ）を示し、光ディスクの記録膜上に設けられた専用の領域において、最適なライトパワーを決定するものである（Ｓ１）。
【００５５】
ＶｗおよびＶｒのそれぞれの変化率を求めるための基準レベルＶｗ０およびＶｒ０を計測する（Ｓ２）。なお、基準レベルＶｗ０およびＶｒ０は、光ディスク内の任意の領域で計測可能であるが、ＯＰＣ（ライトパワー決定）と同一の領域が望ましい。また、ＯＰＣと同一の領域で計測できない場合は、ＯＰＣに用いた領域に近い領域で計測する。従って、最適ライトパワー時のＶｗ、Ｖｒが計測される。ただし、基準レベルの検出位置は、ＶｗとＶｒを同時に計測する必要が有る。
【００５６】
次に、例えばコントローラ３により記録開始が指示された時点で、実際に記録を行っている間（記録終了（Ｓ４−Ｙｅｓ）以外）に、ＶｗおよびＶｒを計測する（Ｓ５）。
【００５７】
以下、ステップＳ５により計測された結果に基づいて、    
Ｖｗｎ＝Ｖｗ０×（Ａ−Ｂ×（Ｖｒ／Ｖｒ０））・・・［１］      
Ａ，Ｂ：定数    
を求める（Ｓ６）。
【００５８】
以降、［１］式を用いて、得られたＶｗｎをＶｗに置き換え、図４により前に説明した『ＰｗとＶｗ』の関係から、Ｖｗｎを一定にするように記録パワーＰｗを制御する。すなわち、ＶｗｎとＶｗとを比較し、『Ｖｗ  ＞  Ｖｗｎ』であった場合（Ｓ７−Ｙｅｓ）、記録パワーが増大される（Ｓ８）。
【００５９】
一方、ステップＳ７において、『Ｖｗ  ＞  Ｖｗｎ』以外であった場合（Ｓ７−Ｎｏ）、今度は、『Ｖｗ  ＜  Ｖｗｎ』か否かが判定される（Ｓ９）。
【００６０】
ステップＳ９において、『Ｖｗ  ＜  Ｖｗｎ』であった場合（Ｓ９−Ｙｅｓ）、記録パワーが低減される（Ｓ１０）。
【００６１】
なお、ステップＳ９において、『Ｖｗ  ＜  Ｖｗｎ』以外であった場合（Ｓ９−Ｎｏ）、前のステップＳ７における判定と合わせて、『Ｖｗ  ＝  Ｖｗｎ』が特定される。この場合、特段の制御が必要ないことはいうまでもない。
【００６２】
また、いうまでもなく、ステップＳ４において、記録終了が指示された場合（Ｓ４−Ｙｅｓ）には、待機状態になる。
【００６３】
なお、［１］式において、「Ｖｒ＝Ｖｒ０」のときに、『Ｖｗｎ＝Ｖｗ０』となるよう、定数「Ａ」を、定数「Ｂ」に対応させて変化させることで、記録速度が変化された場合、すなわち定数「Ｂ」で示される傾きが変更された場合、「Ａ＝Ｂ＋１」と置き換えることで、記録速度の変化に対応可能な最適な記録パワーが設定される。
【００６４】
以上説明したように本発明によれば、レーザパワーを、記録状態を示すレーザ照射時の戻り光を用いて制御することで、記録位置における有機色素材料の特性に対して最適な値に設定できる。
【００６５】
また、本発明によれば、記録用レーザ光の波長が変動し、あるいは光ディスクの記録膜の反射率の差が大きい等の記録条件の変動がある場合であっても、記録パワーと戻り光レベルとの関係に基づいて、記録用レーザ光のパワーが補正され、最適な記録パワーによる記録が可能となり、記録情報の品位が向上される。
【００６６】
さらに、本発明によれば、リードパワーのレーザ光を光ディスクに照射したときの光ディスクの記録膜からの戻り光のレベルと記録パワーのレーザ光を光ディスクに照射した時の光ディスクの記録膜からの戻り光のレベルとの関係に基づいて、リードパワーによる戻り光のレベルを用いて光ディスクの記録膜の反射率の変化率を求めた後、反射率の変化率と関連づけて記録パワーによる戻り光のレベルが所定の大きさになるよう、記録パワーの大きさを補正することで、光ディスクの記録膜の反射率が変動したとしても、記録パワーを概ね一定の範囲内で制御できる。
【００６７】
なお、この発明は、前記各実施の形態に限定されるものではなく、その実施の段階ではその要旨を逸脱しない範囲で種々な変形もしくは変更が可能である。また、各実施の形態は、可能な限り適宜組み合わせて実施されてもよく、その場合、組み合わせによる効果が得られる。
【図面の簡単な説明】
【００６８】
【図１】この発明の実施の形態が適用される光ディスク記録再生装置のピックアップの構成および主要部の一例を説明する概略図。
【図２】光ディスクの記録膜に照射される記録用レーザ光強度に対応するレーザ駆動回路の出力とモニタ検出器により検出されたモニタ光との関係を説明する概略図。
【図３】光ディスクの記録膜に照射される記録用レーザ光強度に対応するレーザ駆動回路の出力とモニタ検出器により検出されたモニタ光との関係を説明する概略図。
【図４】光ディスクの記録膜に照射される記録用レーザ光強度に対応するレーザ駆動回路の出力とモニタ検出器により検出されたモニタ光との関係を説明する概略図。
【図５】光ディスクの記録膜の反射率の変化と記録用レーザ光強度に対応するレーザ駆動回路の出力とモニタ検出器により検出されたモニタ光との関係を説明する概略図。
【図６】光ディスクの記録膜に照射される記録用レーザ光強度を、リードパワーによる戻り光のレベルを用いて光ディスクの記録膜の反射率の変化率を求めた後、反射率の変化率と関連づけて記録パワーによる戻り光のレベルが所定の大きさになるよう、記録パワーの大きさを補正する工程の一例を説明する概略図。
【符号の説明】
【００６９】
１…光ディスク装置（情報記録再生装置）、２…レーザ駆動回路、３…コントローラ、４…増幅器（Ｉ−Ｖ変換器＝プリアンプ）、５…信号処理回路、６…パワーモニタ、１０…レーザダイオード、１１…コリメートレンズ、１２…ビームスプリッタ、１３…光路変更プリズム、１４…対物レンズ、１５…結像レンズ、１６…第１の検出器（再生信号検出器）、１７…第２の検出器（モニタ用検出器）、２１…光ディスク（情報記録媒体）、２２…記録膜。
【図１】
2005190629.tif 000003
【図２】
2005190629.tif 000004
【図３】
2005190629.tif 000005
【図４】
2005190629.tif 000006
【図５】
2005190629.tif 000007
【図６】
2005190629.tif 000008